(57)【特許請求の範囲】
【請求項１】
浴室内の空気を吸い込んで温風にして浴室内に噴出させるための暖房機能と、浴室内を換気するための換気機能と、浴室内を乾燥させるための乾燥機能とを備えた暖房乾燥機本体と、浴室温度や温風温度等を検出するセンサと、該センサで検出されたデータに基づいて暖房乾燥機本体の負荷機器の動作状態を制御する制御部とを備えた浴室暖房乾燥機を、浴室内に複数台数設置してなる浴室暖房乾燥システムであって、
複数台数の浴室暖房乾燥機のうち、第１の装置指定手段により指定される浴室暖房乾燥機を第１の装置とし、指定されない他の浴室暖房乾燥機を第２の装置とし、第１及び第２の装置の各々の制御部を双方向通信手段を介して接続し、上記制御部は、第１の装置がリモコンからの運転開始指令を受けたときに第２の装置のセンサ検出データを第１の装置に送信し、第１の装置は第１の装置自身で検出したセンサ検出データと第２の装置から送られるセンサ検出データとを基に負荷機器の動作状態を決定し、この決定に基づいて第１の装置自身の所定の負荷機器を動作させると同時に負荷動作指令信号を第２の装置に送信して、第１の装置の動作する負荷機器と同じ第２の装置の負荷機器を同期して動作させるための同期運転制御モードを備えていることを特徴とする浴室暖房乾燥システム。
【請求項２】
上記第１の装置及び第２の装置は、ミストを噴出するミスト発生器がそれぞれ組み込まれたミストサウナ装置で構成され、ミストサウナ運転時には上記同期運転制御モードにより第１のミストサウナ装置内のミスト発生器の負荷機器とこれに対応する第２のミストサウナ装置内のミスト発生器の負荷機器とを同期して動作させるようにしたことを特徴とする請求項１記載の浴室暖房乾燥システム。
【請求項３】
上記制御部は、浴室の環境負荷の状態を判定する判定部と、該環境負荷の状態に応じて第１の装置と第２の装置の一方の単独運転、或いは両方の同時運転のいずれかを決定する運転台数決定部とを具備することを特徴とする請求項１又は２記載の浴室暖房乾燥システム。
【請求項４】
上記単独運転を行なう場合、制御部は第１及び第２の装置の過去の運転履歴に基づいて単独運転を行なう装置を選択することを特徴とする請求項３記載の浴室暖房乾燥システム。
【請求項５】
上記制御部は、特定のリモコンが接続され且つ双方向通信手段に他の浴室暖房乾燥機が通信可能に接続された浴室暖房乾燥機を第１の装置として認識し、特定のリモコンが接続されず且つ双方向通信手段に他の浴室暖房乾燥機が通信可能に接続された浴室暖房乾燥機を第２の装置として認識する自動認識機能を有していることを特徴とする請求項１乃至４のいずれか一項に記載の浴室暖房乾燥システム。
【発明の詳細な説明】
【技術分野】
【０００１】
本発明は、浴室内に複数台数の浴室暖房乾燥機を設置した浴室暖房乾燥システムに関するものである。
【背景技術】
【０００２】
従来から、ユニットバスに設けられて、ミスト噴霧温度を一時的に高温状態とし、浴室温度が設定温度に達した時点で、通常の噴霧温度に戻すようにしたホットダッシュ機能をもたせ、冬場でも短時間でミストサウナ浴を可能としたミストサウナ装置が知られている（例えば、特許文献１参照）。
【０００３】
ところが、一般に販売されているユニットバスは、１坪から１．５坪タイプが主流であり、この広さのユニットバスでは、前記特許文献１に示されている技術で比較的短時間にミストサウナ浴は可能となるが、一部の高級マンションなどでは、更に広い浴室空間となり、１台のミストサウナ装置では運転能力が不足となる。そこで、このような広い浴室空間で快適にミストサウナ浴を楽しむためには、複数台のミストサウナ装置を設置することとなるが、複数台のミストサウナ装置を浴室内に漫然と設置しただけでは、操作するリモコンも複数台必要となり、操作が煩わしくなるという課題があり、特に有線リモコンの場合は配線施工に手間がかかるという課題もある。
【０００４】
そこで、他の従来例として、少なくとも１つのリモコンと、複数の空調機の少なくとも１台に受信部を設け、複数の空調機を共通バスを介して接続し、受信部を設けた空調機がリモコンの指令を受けて空調機の運転状態を変更するとともに、共通バスを介してリモコンの指令を全ての空調機に伝達できるようにした空調装置が知られている。（例えば、特許文献２参照）
ところが、いくら広いといっても浴室空間なのでミストサウナ装置はユニットバス天井に隣接して設置されることとなる。このような場合、前記特許文献２の従来技術では１つのリモコンで運転の入り切りはできるが、複数の装置が協調して動作することはない。例えばミストサウナ運転の場合においては、冷水を噴霧しないように温度センサを用いて、熱源から供給される温水が一定以上の温度を検出した後に噴霧を行なうなど、リモコンから運転開始指令が出てから実際に噴霧開始するまでの間の噴霧開始条件に温度の要素が絡んでくる。センサでの温度検出にはばらつきがあり、一方のミストサウナ装置では噴霧を開始したが、他方のミストサウナ装置では噴霧を行なっていないなど、隣接設置されているが故の違和感が目立ってしまうという問題がある。
【特許文献１】特開２００７−６１４１３号公報
【特許文献２】特開平３−１１３２２５号公報
【発明の開示】
【発明が解決しようとする課題】
【０００５】
本発明は上記の従来の問題点に鑑みて発明したものであって、複数台数の浴室暖房乾燥機の同期運転が可能となり、各運転動作のバラツキによる違和感を防止できると共に、各浴室暖房乾燥機毎に制御用プログラムの微調整を行う必要もなく、さらに１つのリモコン操作だけでよいため操作を簡便にできる浴室暖房乾燥システムを提供することを課題とするものである。
【課題を解決するための手段】
【０００６】
前記課題を解決するために本発明は、浴室１０内の空気を吸い込んで温風にして浴室１０内に噴出させるための暖房機能と、浴室１０内を換気するための換気機能と、浴室１０内を乾燥させるための乾燥機能とを備えた暖房乾燥機本体と、浴室温度や温風温度等を検出するセンサと、該センサで検出されたデータに基づいて暖房乾燥機本体の負荷機器の動作状態を制御する制御部４とを備えた浴室暖房乾燥機１を、浴室１０内に複数台数設置してなる浴室暖房乾燥システムであって、
複数台数の浴室暖房乾燥機１のうち、第１の装置指定手段１９により指定される浴室暖房乾燥機１を第１の装置とし、指定されない他の浴室暖房乾燥機１を第２の装置とし、第１及び第２の装置の各々の制御部４を双方向通信手段６を介して接続し、上記制御部４は、第１の装置がリモコンからの運転開始指令を受けたときに第２の装置のセンサ検出データを第１の装置に送信し、第１の装置は第１の装置自身で検出したセンサ検出データと第２の装置から送られるセンサ検出データとを基に負荷機器の動作状態を決定し、この決定に基づいて第１の装置自身の所定の負荷機器を動作させると同時に負荷動作指令信号を第２の装置に送信して、第１の装置の動作する負荷機器と同じ第２の装置の負荷機器を同期して動作させるための同期運転制御モードを備えていることを特徴としている。
【０００７】
このような構成とすることで、広い浴室空間において１台の装置だけでは運転能力が不足であるときは、複数台の装置を同時運転する。このとき、第１の装置と第２の装置との間で同期運転制御モードが実行されて複数台が協調して動作する同期運転が可能となるので、各装置毎の運転動作が同期してバラツキによる違和感を防止できると共に、各装置毎に制御用プログラムの微調整を行う必要もなく、そのうえ、第１の装置指定手段１９で指定された第１の装置をリモコン操作するだけで各装置の同期運転が可能であるため、操作がきわめて簡便となる。
【０００８】
また、上記第１の装置及び第２の装置は、ミストを噴出するミスト発生器２がそれぞれ組み込まれたミストサウナ装置３で構成され、ミストサウナ運転時には上記同期運転制御モードにより第１のミストサウナ装置３Ａ内のミスト発生器２の負荷機器とこれに対応する第２のミストサウナ装置３Ｂ内のミスト発生器２の負荷機器とを同期して動作させるようにしたことを特徴とするのが好ましく、この場合、２台のミストサウナ装置３Ａ,３Ｂの同期運転が可能となり、運転状況の違和感の防止を図りつつ、広い浴室空間内で快適なミストサウナを楽しむことができる。
【０００９】
また、上記制御部４は、浴室１０の環境負荷の状態を判定する判定部４０と、該環境負荷の状態に応じて第１の装置と第２の装置の一方の単独運転、或いは両方の同時運転のいずれかを決定する運転台数決定部４１とを具備することを特徴とするのが好ましく、この場合、浴室１０の環境負荷の状態に応じた適正能力による運転が可能となる。
【００１０】
また、上記単独運転を行なう場合、制御部４は第１及び第２の装置の過去の運転履歴に基づいて単独運転を行なう装置を選択することを特徴とするのが好ましく、この場合、各装置の稼動の平準化が図られ、システム全体としての耐用年数の向上を図ることができる。
【００１１】
また、上記制御部４は、特定のリモコン１９ａが接続され且つ双方向通信手段６に他の浴室暖房乾燥機１が通信可能に接続された浴室暖房乾燥機１を第１の装置として認識し、特定のリモコン１９ａが接続されず且つ双方向通信手段６に他の浴室暖房乾燥機１が通信可能に接続された浴室暖房乾燥機１を第２の装置として認識する自動認識機能を有していることを特徴とするのが好ましく、この場合、特定のリモコン１９ａの操作器側でスイッチによる切り替え設定などを行なう必要がなくなる。
【発明の効果】
【００１２】
本発明に係る浴室暖房乾燥システムは、第１の装置の負荷機器の動作と同じ第２の装置の負荷機器の動作とを同期させるための同期運転制御モードを備えることにより、複数台数の浴室暖房乾燥機の同期運転が可能となり、広い浴室空間においても各運転動作のバラツキによる違和感を防止できると共に、各浴室暖房乾燥機毎に制御用プログラムの微調整を行う必要もなく、さらに第１の装置指定手段により指定された第１の装置をリモコン操作するだけで各装置の同期運転が可能となり、操作を簡便にできるものである。
【発明を実施するための最良の形態】
【００１３】
以下、本発明を添付図面に示す実施形態に基いて説明する。
【００１４】
本発明の浴室暖房乾燥システムは、図１に示すように、複数台数（本例では２台）のミストサウナ装置３（３Ａ,３Ｂ）を双方向通信手段６を介して接続して構成されている。
【００１５】
本例のミストサウナ装置３は、浴室の天井部に設置される。浴室１０の外部には給湯機能付き熱源機（図示せず）が設置され、浴室１０内部の壁には浴室リモコン１９ａが設置され、さらに脱衣室の壁には脱衣室リモコン（図示せず）が設置されている。
【００１６】
浴室リモコン１９ａには、例えば運転モード、温度、風量、風向き、入浴時間のそれぞれの表示部、及び、ミストサウナ運転開始を指令するミストサウナスイッチ、ミスト強弱を切り替えるミスト強弱スイッチ、目標となる設定温度（例えば３８℃〜４６℃）を設定する温度設定スイッチ、暖房スイッチ、涼風スイッチ、風向スイッチ、停止スイッチ、入浴時間をカウントするスタート／ストップスイッチ、リセットスイッチ等が設けられている。なお脱衣室リモコンにも同様な操作部が設けられる。これにより脱衣室リモコンで入浴前運転の操作を行ない、浴室リモコン１９ａで入浴中運転の調整を行なえるようになる。
【００１７】
本例では、上記浴室リモコン１９ａは、第１のミストサウナ装置３Ａを運転操作する本来の機能に加えて、後述のように浴室リモコン１９ａが接続された方のミストサウナ装置を第１のミストサウナ装置３Ａとして指定する機能をも有している。
【００１８】
本例の２台のミストサウナ装置３は同じ構造をしており、図４には一方のみを図示する。各ミストサウナ装置３は、図４に示すように、浴室１０内に温風Ｎを供給する浴室暖房乾燥機１と、温水をミストＭにして噴霧するミスト発生器２と、浴室暖房乾燥機１とミスト発生器２とを制御する制御部４（図３）とを備えている。図４の例では浴室暖房乾燥機１を収納する暖房乾燥機本体ボックス１ａと、ミストユニットボックス２ａとに分離され、暖房乾燥機本体ボックス１ａの上にミストユニットボックス２ａを搭載した状態で互いに結合されている。
【００１９】
上記暖房乾燥機ボックス１ａ内には、循環ファン２２と、循環ファン２２にて循環通風路５に通風される空気を加熱する空調用熱交換器３３と、浴室温度を検知する浴室サーミスタ１６とが配置されている。循環ファン２２と空調用熱交換器３３とが、浴室１０内の空気を吸い込んで温風にして浴室１０内に噴出させるための暖房機能を構成する。本例では空調用熱交換器３３の熱交換効率を高めるために、縦型熱交換部３３ａと横型熱交換部３３ｂとに分割して隣接配置されていると共に、温水循環路７の往路７ａが２つの熱交換部３３ａ、３３ｂの入側にそれぞれ接続され、各熱交換部３３ａ、３３ｂの出側が２つの温水循環路７の復路７ｂにそれぞれ接続されている。また温水循環路７の往路７ａは熱源機の温水吐出側の温水供給側継手２０に接続されており、温水循環路７の復路７ｂは熱源機の回収側の温水戻り側継手２１に接続されている。
【００２０】
ここで、上記温水循環路７の往路７ａには、温水循環路７を開閉する熱動弁８と、温水温度を検知する温水サーミスタ９とが配置されている。温水サーミスタ９で検知される温水温度は、空調用熱交換器３３及び後述する液々熱交換器１１を加熱する温水の温度であり、この温度に応じて後述のように循環ファン２２のＯＮ動作、ノズル開閉弁１５の開閉動作が行なわれる。ここで循環ファン２２は、例えば水平軸心周りで回転して、空気の吸引と排気とをともに回転軸芯と直交する方向に沿って行なうクロスフローファンにて構成され、回転軸芯方向のほぼ全幅にわたる広い範囲にわたって空調用熱交換器３３を通して浴室１０内の空気を吸引し、空調用熱交換器３３にて加熱された空気を温風吹き出し口３２から浴室１０に吹き出すように換気する機能を有する。なお換気用ファン３１は、例えば縦軸芯周りで回転して、ファンケースの下方側から空気を吸引して、暖房乾燥機本体ボックス１ａの側面に開口した排出口から排気ダクト（図示せず）に向かって空気を通風させるように構成されている。
【００２１】
一方、ミスト発生器２は、給水継手２６を介して水道管に接続される給水路１２を開閉する給水電磁弁１７と、給水路１２から供給される水を熱源機からの温水により加熱するための液々熱交換器１１と、この液々熱交換器１１で加熱された水をミスト状に噴霧する複数（例えば２つ）のミストノズル１３（１３ａ，１３ｂ）と、各ミストノズル１３を個別に開閉制御する一対のノズル開閉弁１５と、ミスト噴霧温度を検知するミスト温サーミスタ３０とを備えている。図４の例では液々熱交換器１１がミストユニットボックス２ａ内に配置され、ミストノズル１３とノズル開閉弁１５とが暖房乾燥機本体ボックス１ａ内に配置されている。なおミストノズル１３ａ，１３ｂのミスト噴出量は例えば０．５リットル／ｍｉｎとされ、強運転は両方で噴出させ、弱運転は片方で噴出させる仕様となっている。
【００２２】
ここで、液々熱交換器１１は例えば複数の波板状の伝熱プレートを間隔をあけて積層配置したプレート式熱交換器で構成されている。液々熱交換器１１の一次側水路は給水路１２と連通し、二次側水路は温水分岐循環路２３と連通している。温水分岐循環路２３の上流には、温水の供給量を変更調整自在とする水比例弁１４を介して、上記熱動弁８よりも手前側の温水循環路７の往路７ａに接続され、温水分岐循環路２３の他端は上記温水循環路７の復路７ｂに接続されている。
【００２３】
また、給水路１２の液々熱交換器１１とノズル開閉弁１５との間には、排水路２４の一端が接続されている。排水路２４の他端は排水電磁弁１８を介して排水継手２７、排水管（図示せず）に接続されている。排水路２４は、例えば、ミストサウナ運転開始前に、ノズル開閉弁１５を閉じた状態で開かれるものであり、この排水路２４を通って液々熱交換器１１や給水路１２内に溜まっている水を外部に排水できるようになる。なお排水路２４は排水電磁弁１８に設けたバキュームブレーカー（図示せず）を介して大気流入路２９に連通しており、排水時に排水路２４内を大気圧状態とすることで、排水電磁弁１８から排水された汚れた水が排水路２４内への逆流を防いでいる。
【００２４】
上記浴室サーミスタ１６、温水サーミスタ９、ミスト温サーミスタ３０からの各センサ検知信号は、マイクロコンピュータを組み込んだ制御部４（図３）に送られる。制御部４は、浴室リモコン１９ａからの運転開始指令、及び、センサ検出データに基づいて、浴室暖房乾燥機１及びミスト発生器２のそれぞれの負荷機器を個別に制御して、ミストサウナ運転、涼風運転、暖房運転等の各種動作を行なせるためのものであり、２台のミストサウナ装置３Ａ,３Ｂ毎に共通する制御用プログラムが組み込まれている。
【００２５】
なお、ここでいう負荷機器とは、暖房乾燥やミスト噴霧のために動作するすべての機器（循環ファン２２、給水電磁弁１７、ノズル開閉弁１５等）を指す。
【００２６】
ここで、本発明においては、図１に示すように、第１の装置指定手段１９を構成する浴室リモコン１９ａを接続した方を第１のミストサウナ装置３Ａとし、浴室リモコン１９ａが接続されない方を第２のミストサウナ装置３Ｂとする。つまり、第１のミストサウナ装置３Ａと第２のミストサウナ装置３Ｂの基本構造は同じであるが、浴室リモコン１９ａが接続される方が第１のミストサウナ装置３Ａとなり、浴室リモコン１９ａが接続されない方が第２のミストサウナ装置３Ｂとなる。そして、第１及び第２のミストサウナ装置３Ａ,３Ｂの各々の制御部４を双方向通信手段６を介して通信を行なう。なお図１の例では、双方向通信手段６は第１のミストサウナ装置３Ａと第２のミストサウナ装置３Ｂとをつなぐ信号線６ａを用いているが、このような有線方式に限らず、例えば図２に示すように、通信部（発光部及び受光部）３５と赤外線通信部（発光部及び受光部）３６とを利用して赤外線信号６ｂでつなぐ赤外線方式、或いは無線方式であってもよい。
【００２７】
さらに、上記制御部４は同期運転制御モードを備えている。これは、第１のミストサウナ装置３Ａが浴室リモコン１９ａからの運転開始指令を受けたときに第２のミストサウナ装置３Ｂのセンサ検出データを第１のミストサウナ装置３Ａに送信し、第１のミストサウナ装置３Ａは第１のミストサウナ装置３Ａ自身で検出したセンサ検出データと第２のミストサウナ装置３Ｂから送られるセンサ検出データとを基に負荷機器の動作状態を決定し、この決定に基づいて第１のミストサウナ装置３Ａ自身の所定の負荷機器を動作させると同時に負荷動作指令信号を第２のミストサウナ装置３Ｂに送信して、第１のミストサウナ装置３Ａの動作する負荷機器と対応する第２のミストサウナ装置３Ｂの負荷機器を同期して動作させるものである。
【００２８】
次に、上記構成の浴室暖房乾燥システムの動作をミストサウナ運転を行なう場合を例に挙げて説明する。図５は第１のミストサウナ装置３Ａの制御フローを示し、図６は第２のミストサウナ装置３Ｂの制御フローを示している。
【００２９】
浴室リモコン１９ａのミストサウナスイッチをＯＮにすると（図５のステップＳ１）、第１のミストサウナ装置３Ａは浴室リモコン１９ａからのミストサウナ運転開始指示を受ける。このとき、第１のミストサウナ装置３Ａは自身の持つ熱動弁８をＯＮさせると共に、第２のミストサウナ装置３Ｂに第２のミストサウナ装置３Ｂの熱動弁８をＯＮさせる信号を送信する。第２のミストサウナ装置３Ｂは第１のミストサウナ装置３Ａからの送信を受けると、第２のミストサウナ装置３Ｂ自身のセンサ検出データ（例えば温水サーミスタ９の検出データ）を第１のミストサウナ装置３Ａに送信する（図６のステップＳ１１→Ｓ１０）。第１のミストサウナ装置３Ａは自身の温水サーミスタの検出温度と、第２のミストサウナ装置３Ｂから送信してくる第２のミストサウナ装置３Ｂが持つ温水サーミスタの検出温度とから、両方の装置３Ａ,３Ｂに温水が供給されたことを検出する。両方の装置３Ａ,３Ｂに温水が供給されたことを検出した第１のミストサウナ装置３Ａは、自身のノズル開閉弁１５をＯＮさせてミストサウナ運転を開始（図５のステップＳ２）すると共に、第２のミストサウナ装置３Ｂに信号を送信して、第２のミストサウナ装置３Ｂはその信号に応答してノズル開閉弁１５をＯＮさせてミストサウナ運転を開始する（図６のステップＳ１２）。また運転途中でも第２のミストサウナ装置３Ｂは、第１のミストサウナ装置３Ａからの指示があれば、第２のミストサウナ装置３Ｂ自身のセンサ検出データ（例えば温水サーミスタの検出データ）を第１のミストサウナ装置３Ａに送信する（図６のステップＳ１４→Ｓ１３）。このようにして、両方の装置３Ａ,３Ｂがほぼ同じタイミングでミスト噴霧を開始、継続することができる。これにより、広い浴室空間内でも、身体を十分に暖めて、多量の発汗を促し、疲労やストレスを解消し、爽快感を得、さらには血流促進、代謝亢進、場合によっては体重減少にも役立つ効果が得られるようになり、さらに、冬場ではミスト噴霧温度を一時的に高温状態とし、浴室温度が設定温度に達した時点で、通常の噴霧温度に戻すようにするホットダッシュ運転が可能となり、冬場でも短時間でミストサウナ浴を楽しめるようになる。なお、図５、図６のフローチャートに記載されない負荷機器の制御は、特開２００７−６１４１３号公報の場合と同じであり、その詳細は省略する。
【００３０】
その後、浴室リモコン１９ａのミストサウナスイッチをＯＦＦにすると（図５のステップＳ３）、第１のミストサウナ装置３Ａは自身の負荷機器の動作を停止させてミストサウナ運転を終了すると共に、第２のミストサウナ装置３Ｂに運転停止の指示を送り（図５のステップＳ４）、第２のミストサウナ装置３Ｂは負荷機器の動作を停止させてミストサウナ運転を終了する（図６のステップＳ１４→Ｓ１５）。
【００３１】
しかして、上記のように広い浴室空間において１台のミストサウナ装置３Ａ又は３Ｂでは運転能力が不足である場合は、２台のミストサウナ装置３Ａ,３Ｂを同時運転する。このとき、第１のミストサウナ装置３Ａは、自身の持つセンサ検出データと第２のミストサウナ装置３Ｂが送ってくるセンサ検出データをもとに、自身の持つ負荷機器を動作させると共に、第２のミストサウナ装置３Ｂに対して同じ負荷機器を動作させる指示を出し、さらに指示を受けた第２のミストサウナ装置３Ｂは、指示された負荷機器を指示されたとおりに動作させることができる。従って、１つの浴室リモコン１９ａの操作だけで、２台の装置のそれぞれの同期運転が可能となる。つまり２台の装置が協調して動作することとなるので、広い浴室空間であっても快適にミストサウナ浴を楽しむことができる。またミストサウナ運転以外に、浴室暖房運転、換気運転時等においても、同期運転制御モードによって、負荷機器を同期して動作させることができるので、いずれの運転においても、装置３Ａ,３Ｂ間において動作のバラツキによる違和感をなくすことができるものである。さらに、各装置３Ａ,３Ｂ毎に制御用プログラムの微調整を行う必要もなく、そのうえ、第１のミストサウナ装置３Ａと他の第２のミストサウナ装置３Ｂとを双方向通信手段６を介して接続したことにより、第１のミストサウナ装置３Ａを浴室リモコン１９ａで操作するだけで各装置３Ａ,３Ｂの同期運転が可能となり、操作がきわめて簡便となり、また浴室リモコン１９ａが有線式リモコンの場合であっても配線施工の省力化を図ることができる利点がある。
【００３２】
また本例では、第１のミストサウナ装置３Ａは自身の温水サーミスタの検出温度と、第２のミストサウナ装置３Ｂから送信してくる第２のミストサウナ装置３Ｂが持つ温水サーミスタの検出温度とから、両方の装置３Ａ,３Ｂに温水が供給されたことを検出するものであるが、このとき、両方の装置３Ａ,３Ｂのセンサ検出温度の平均値を求め、これを基準にして両方の装置３Ａ,３Ｂに温水が供給されたことを検出するようにしている。このように検出データの平均値を出すことで、センサ検出精度を向上させることが可能となる。
【００３３】
また本例のミストサウナ装置３の制御基板（図示せず）上には２個のリモコンを接続して通信可能なように、２個のコネクタ（脱衣室リモコン用と浴室リモコン用）が設けられた構造となっており、この場合において、ミストサウナ装置３Ａ,３Ｂ間の通信用に更に１個の通信用コネクタを追加して、ミストサウナ装置３Ａ,３Ｂ間の通信を行なってもよいが、このようにすると通信回路１個が追加となり、コストアップとなる。そこで、通信専用のコネクタの追加が必要のない構造が望ましい。その一例として、浴室リモコン１９ａ（特定のリモコン）を第１のミストサウナ装置３Ａの一方のコネクタに接続し、脱衣室リモコンを第２のミストサウナ装置３Ｂの一方のコネクタに接続し、各々余った他方のコネクタを利用してミストサウナ装置３Ａ,３Ｂ間の通信を行なうようにする。この場合、浴室リモコン１９ａ（特定のリモコン）が接続された方を第１のミストサウナ装置３Ａ、脱衣室リモコンが接続された方を第２のミストサウナ装置３Ｂとして自動で認識させることによって、通信回路の追加もなく、ソフトウエア対応のみで容易に実現することが可能となる。
【００３４】
図７は制御部４の他の例を示している。制御部４以外の基本構成は前記実施形態と同様である。本例の制御部４は、浴室１０の環境負荷の状態を判定する判定部４０と、該環境負荷の状態に応じて第１のミストサウナ装置３Ａと第２のミストサウナ装置３Ｂの一方の単独運転（１台運転）、或いは両方の同時運転（２台運転）のいずれかを決定する運転台数決定部４１とを具備している。しかして、運転開始時の浴室１０の室温や、運転開始からの室温上昇速度、室温と目標温度との差温から浴室空間の大きさや必要能力を判定し、１台の運転で良いと判断した場合、その決定に基づいて一方のみを単独運転する。このとき、第１のミストサウナ装置３Ａと第２のミストサウナ装置３Ｂを交互に動作させることで耐久性を向上させるようにしてもよいものであり、環境負荷の状態に応じた適正能力による運転が可能となる。
【００３５】
なお、第１のミストサウナ装置３Ａと第２のミストサウナ装置３Ｂの一方を単独運転する場合において、制御部４に第１及び第２のミストサウナ装置３Ａ,３Ｂの過去の運転履歴を記憶する運転履歴記憶部４２を設けておき、第１及び第２のミストサウナ装置３Ｂのそれぞれの過去の運転履歴（例えば、運転時間のトータル）を基に単独運転をする装置を選択することも可能である。しかして、単独運転を行なう際は、運転履歴記憶部４２に記憶された各装置の運転時間のトータルを比較して、運転時間が短い方の装置を選択して単独運転を行なうことにより、２台のミストサウナ装置３Ａ,３Ｂの稼動の平準化による浴室暖房乾燥システム全体としての耐用年数の向上を図ることができる。
【００３６】
また、上記制御部４は、浴室リモコン１９ａ（特定のリモコン）が接続され且つ双方向通信手段６に他のミストサウナ装置３が通信可能に接続されたミストサウナ装置３を第１のミストサウナ装置３Ａとして認識し、浴室リモコン１９ａが接続されず且つ双方向通信手段６に他のミストサウナ装置３が通信可能に接続されたミストサウナ装置３を第２のミストサウナ装置３Ｂとして認識する自動認識機能部４３（図７）を備えているのが望ましい。図８はその一例を示したものであり、図８のステップＳ２０で他のミストサウナ装置に接続されていない場合は、ステップＳ２１に移行して単独運転制御モードを実行する（一台のミストサウナ装置３のみを備えたシステムとして認識する）。ステップＳ２０で他のミストサウナ装置が接続されている場合はステップＳ２２に移行する。ステップＳ２２で浴室リモコン１９ａが接続されていると認識されたときはステップＳ２３に移行して第１のミストサウナ装置３Ａとしての制御を行なう。ステップＳ２２で浴室リモコン１９ａが接続されていないと認識されたときはステップＳ２４に移行して第２のミストサウナ装置３Ｂとしての制御を行なう。しかして、浴室リモコン１９ａの接続の有無によって第１のミストサウナ装置３Ａ、第２のミストサウナ装置３Ｂの認識ができる。つまり、各装置３Ａ,３Ｂのそれぞれの制御部４に組み込まれる制御用プログラムは、リモコン接続の有無だけで主従を自動的に切り替えることが可能となるので、浴室リモコン１９ａの操作器側でスイッチによる切り替え設定などを行なう必要がなくなり、結果、通信部のコスト低減と施工の簡素化が可能となる。
【００３７】
なお、図８の変形例として、浴室リモコン１９ａ（特定のリモコン）が接続された装置を第２のミストサウナ装置３Ｂとして認識し、浴室リモコン１９ａが接続されず他の装置のみが通信接続された装置を第１のミストサウナ装置３Ａとして認識するような制御用プログラムを組み込むことも可能である。また、特定のリモコンを浴室リモコン１９ａとしたが、脱衣室リモコンを特定のリモコンとしてもよいものである。
【００３８】
また、前記制御部４の負担を軽減するために、２つのミストサウナ装置３Ａ,３Ｂの一方の制御部４に制御動作が集中したときは、他方の制御部４に当該動作を振り分けるようにするための制御用プログラムを組み込むことも可能であり、この場合、制御動作が一方に偏ることによる制御部４への負担軽減を図ることができる。
【００３９】
なお前記実施形態では、浴室リモコン１９ａが第１の装置指定手段１９を兼ねる場合を説明したが、浴室リモコン１９ａと第１の装置指定手段１９とを別構造とすることも可能であり、例えば、浴室リモコン１９ａが接続される１台の装置を第１の装置として指定するソフトウェアを制御部４に組み込んだものであってもよい。
【００４０】
本発明に係る浴室暖房乾燥システムは、ミストサウナ装置３に限らず、ミスト噴霧機能を持たない浴室暖房乾燥機のみを設置する場合にも同様に適用できる。
【図面の簡単な説明】
【００４１】
【図１】本発明の浴室暖房乾燥システムの概略構成図である。
【図２】本発明の他の実施形態の浴室暖房乾燥システムの概略構成図である。
【図３】同上の浴室暖房乾燥システムのブロック図である。
【図４】同上のミストサウナ装置の概略構成図である。
【図５】同上の第１のミストサウナ装置の制御動作を説明するフローチャートである。
【図６】同上の第２のミストサウナ装置の制御動作を説明するフローチャートである。
【図７】本発明の更に他の実施形態の制御部に関するブロック図である。
【図８】同上の自動認識機能部の制御動作を説明するフローチャートである。
【符号の説明】
【００４２】
１  浴室暖房乾燥機
２  ミスト発生器
３  ミストサウナ装置
３Ａ  第１のミストサウナ装置
３Ｂ  第２のミストサウナ装置
４  制御部
６  双方向通信手段
１０  浴室
１９  第１の装置指定手段
１９ａ  浴室リモコン
４０  判定部
４１  運転台数決定部
【図１】
0005255254.tif 000002
【図２】
0005255254.tif 000003
【図３】
0005255254.tif 000004
【図４】
0005255254.tif 000005
【図５】
0005255254.tif 000006
【図６】
0005255254.tif 000007
【図７】
0005255254.tif 000008
【図８】
0005255254.tif 000009